(57)【要約】【課題】浴室までの往復移動を大幅に軽減でき、しかも浴槽の汚れ除去効果を高めることが、さらにお湯はりした湯温が下がってしまうことがない自動洗浄給湯装置を提供すること。【解決手段】浴槽３に電動排水栓１０と自動浴槽洗浄装置５０と自動お湯はり装置とを設け、これらの機器を制御する制御部８を設けた自動洗浄給湯装置である。制御部８は、電動排水栓１０及び自動浴槽洗浄装置５０を動作させて浴槽３の排水〜清掃を自動的に実行する自動排水／洗浄モードと、電動排水栓１０及び自動お湯はり装置を動作させて浴槽３の閉栓〜お湯はりを自動的に実行する自動閉栓／給湯モードとを有し且つ上記両モードの両方又は一方を選択するための操作リモコン３４を有している。【選択図】図１
2007298250.tif 000002
【特許請求の範囲】
【請求項１】
浴槽に、排水口を開閉する電動排水栓と、浴槽内に洗剤を噴霧して清掃する自動浴槽洗浄装置と、浴槽に給湯する自動お湯はり装置とを設けると共に、これらの機器を制御する制御部を設け、制御部は、電動排水栓及び自動浴槽洗浄装置を動作させて浴槽の排水〜清掃を自動的に実行する自動排水／洗浄モードと、電動排水栓及び自動お湯はり装置を動作させて浴槽の閉栓〜お湯はりを自動的に実行する自動閉栓／給湯モードとを有し且つ上記両モードの両方又は一方を選択するための操作リモコンを有していることを特徴とする自動洗浄給湯装置。
【請求項２】
上記電動排水栓の開閉状態を検知する手段を設け、制御部は電動排水栓が開いた状態では自動お湯はり装置が動作しないように制御することを特徴とする請求項１記載の自動洗浄給湯装置。
【請求項３】
上記浴槽のフランジ面に風呂蓋の設置状態を検知する手段を設け、制御部は風呂蓋が無い状態では自動浴槽洗浄装置が動作しないように制御することを特徴とする請求項１記載の自動洗浄給湯装置。
【請求項４】
上記浴槽の外部に浴室乾燥機を設け、制御部は、浴槽洗浄動作の後に浴室乾燥機が動作するように制御することを特徴とする請求項１乃至請求項３のいずれか一項に記載の自動洗浄給湯装置。
【請求項５】
上記制御部は、風呂蓋の設置状態又は電動排水栓に異常が生じたときは、動作を停止し、操作リモコンに音声又は表示の一方又は両方で警告することを特徴とする請求項１乃至請求項４のいずれか一項に記載の自動洗浄給湯装置。
【発明の詳細な説明】
【技術分野】
【０００１】
本発明は、浴槽の自動洗浄給湯装置に関し、詳しくは、電動排水栓と自動浴槽洗浄装置と自動お湯はり装置とを制御する技術に関するものである。
【背景技術】
【０００２】
従来の浴槽の排水やお湯はりの際には、浴槽の排水栓は手動で開閉するものであるため、浴室に出向き、排水栓を手で開閉する動作が必要であり、また浴槽を清掃する際にも同様に浴室内に出向き、一般に洗剤をつけたスポンジ等で擦り洗いするのが通常で、腕を伸ばしたり、腰を屈めたりする必要があり、苦痛を伴うものであった
そこで、従来より、浴槽に電動排水栓と自動浴槽洗浄装置と自動お湯はり装置とを設け、入浴後における排水〜清掃〜お湯はりまでの一連の動作を連続して実行するための制御部を備えた自動洗浄給湯装置が知られている（例えば、特許文献１参照）。
【０００３】
しかしながら特許文献１に見られるように、排水〜清掃〜お湯はりまでの一連の動作を連続して実行するような制御方式では、例えば最終入浴直後に清掃する場合は、清掃後にお湯はりが自動的にされてしまい、このお湯はりから次回の入浴までに長い時間が経過した場合は、次回に入浴するときに湯温が下がってしまい、追い炊きが必要となる。また入浴直前に清掃する場合は、前回の入浴終了時から長い時間が経過した場合は、浴槽は汚れたままで長い間放置されることとなり、汚れがこびりついて洗剤噴霧による自動清掃だけでは十分に清掃できなくなるという問題が生じる。
【特許文献１】特開平６−７２４８号公報
【発明の開示】
【発明が解決しようとする課題】
【０００４】
本発明は上記の従来の問題点に鑑みて発明したものであって、浴室までの往復移動を大幅に軽減でき、しかも浴槽の汚れ除去効果を高めることが、さらにお湯はりした湯温が下がってしまうことがなくエネルギーを節約できる自動洗浄給湯装置を提供することを課題とするものである。
【課題を解決するための手段】
【０００５】
上記課題を解決するために本発明は、浴槽３に、排水口９を開閉する電動排水栓１０と、浴槽３内に洗剤２９を噴霧して清掃する自動浴槽洗浄装置５０と、浴槽３に給湯する自動お湯はり装置とを設けると共に、これらの機器を制御する制御部８を設け、制御部８は、電動排水栓１０及び自動浴槽洗浄装置５０を動作させて浴槽３の排水〜清掃を自動的に実行する自動排水／洗浄モードと、電動排水栓１０及び自動お湯はり装置を動作させて浴槽３の閉栓〜お湯はりを自動的に実行する自動閉栓／給湯モードとを有し且つ上記両モードの両方又は一方を選択するための操作リモコン３４を有していることを特徴としている。
【０００６】
このような構成とすることで、浴室と離れたところから操作リモコン３４にて浴槽３の電動排水栓１０、自動浴槽洗浄装置５０、自動お湯はり装置を集中制御できるようになり、また、自動排水／洗浄モードと自動閉栓／給湯モードを連続して或いは連続させないで選択できるので、最終入浴後に自動排水／洗浄モードを選択することで、最終入浴から時間をおかずに清掃できるので浴槽３の汚れ除去効果を高めることができ、また、次回入浴前に自動閉栓／給湯モードを選択することで、お湯はりから時間をおかずに入浴できるのでお湯はりした湯温が下がってしまうこともなくなる。
【０００７】
また上記電動排水栓１０の開閉状態を検知する手段を設け、制御部８は電動排水栓１０が開いた状態では自動お湯はり装置が動作しないように制御するのが好ましく、この場合、電動排水栓１０が開いた状態でお湯はりが行なわれることがないため、安全にしかも安心してお湯はりができるようになる。
【０００８】
また上記浴槽３のフランジ面３ａに風呂蓋１６の設置状態を検知する手段を設け、制御部８は風呂蓋１６が無い状態では自動浴槽洗浄装置５０が動作しないように制御するのが好ましく、この場合、風呂蓋１６が無い状態では自動浴槽洗浄装置５０から洗剤２９が噴霧することがないため、浴槽３以外の部位に洗剤２９を付着させることがなく、安心して浴槽３の清掃を実施できるようになる。
【０００９】
また浴室１を乾燥する浴室乾燥機を設け、上記制御部８は浴槽洗浄動作の後に浴室乾燥機が動作するように制御するのが好ましく、この場合、浴槽３を清掃した後に浴室乾燥動作が自動的に実行されるので、次回のお湯はりまでの時間が長い場合でも浴室１を乾燥状態に保つことができ、カビ対策に有効となる。
【００１０】
また上記制御部８は、風呂蓋１６の設置状態又は電動排水栓１０に異常が生じたときは、動作を停止し、操作リモコン３４に音声又は表示の一方又は両方で警告するのが好ましく、この場合、使用者に異常を知らせることができ、より安全で安心な自動洗浄給湯装置が得られる。
【発明の効果】
【００１１】
本発明に係る自動洗浄給湯装置は、浴室と離れたところから操作リモコンにて浴槽の電動排水栓、自動浴槽洗浄装置、自動お湯はり装置を集中制御することにより、浴室までの往復移動を大幅に軽減できるものであり、また、操作リモコンによって自動排水／洗浄モードと自動閉栓／給湯モードの両方又は一方を選択することにより、浴槽の汚れ除去効果を高めることができ、人手による清掃の労力を大幅に改善できるものであり、さらに、お湯はりした湯温が下がってしまうことがなく、追い炊きに必要なエネルギーを節約できるものである。
【発明を実施するための最良の形態】
【００１２】
以下、本発明を添付図面に示す実施形態に基いて説明する。
【００１３】
図１に示すように、浴室１の天井には、浴室１の乾燥を行なう暖房換気乾燥機２が設置されている。
【００１４】
浴槽３には、排水口９を自動開閉する電動排水栓１０と、浴槽３内に洗剤２９を噴霧して清掃する自動浴槽洗浄装置５０と、自動お湯はり装置である給湯器６とが設けられている。
【００１５】
本例では、浴槽３には給湯口４が設けられ、給湯管５を介して給湯器６と接続されている。給湯器６は、給湯器ケーブル７により制御ボックス２６と接続されている。
【００１６】
浴槽３の底面には、排水口９を自動開閉する電動排水栓１０が設けられ、電動排水栓１０はワイヤー１１を介してコイル１２と接続されている。電動排水栓１０には、開閉検知センサ１３が設置されている。コイル１２は排水栓ケーブル４１により制御ボックス２６と接続され、開閉検知センサ１３は、開閉センサケーブル１４により制御ボックス２６と接続されている。
【００１７】
浴槽３のフランジ面３ａには風呂蓋検知センサ１５が設けられ、その上に風呂蓋１６が設置されている。風呂蓋検知センサ１５は風呂蓋１６の設置状態を検知するものであり、風呂蓋センサケーブル１７により制御ボックス２６と接続されている。
【００１８】
浴槽３の外部には自動浴槽洗浄装置５０が設けられる。この自動浴槽洗浄装置５０は、洗剤噴霧ノズル３０と清水噴霧ノズル４４とを備えている。
【００１９】
洗剤２９の入った洗剤タンク２７には洗剤管２８の一端が浸漬され、洗剤管２８の他端は浴槽３の側面に設けた洗剤噴霧ノズル３０に接続されている。また洗剤タンク２７の上方にはエア管１８が配置され、エア管１８の一端は洗剤タンク２７内に挿入され、エア管１８の他端は逆止弁１９を介してブロア２０と接続されている。ブロア２０は洗剤ケーブル３１により制御ボックス２６と接続されている。
【００２０】
水道管２１は、逆止弁２２、電磁弁２３、清水管２４を介して、浴槽３の側面に設けた清水噴霧ノズル４４と接続されている。電磁弁２３は清水ケーブル３２により制御ボックス２６と接続されている。
【００２１】
制御ボックス２６内には、電動排水栓１０と給湯器６と自動浴槽洗浄装置５０とを制御するマイクロコンピュータにて構成される制御部８が収納されている。図２に一例を示す。この制御部８は、電動排水栓１０、ブロア２０、電磁弁２３、暖房換気乾燥機２の各動作を制御して浴槽３の排水〜清掃〜乾燥を自動的に実行する自動排水／洗浄モードと、電動排水栓１０及び給湯器６を動作させて浴槽３の閉栓〜お湯はりを自動的に実行する自動閉栓／給湯モードとを有している。
【００２２】
さらに本例の制御部８は、風呂蓋１６が無い状態では自動浴槽洗浄装置５０のブロア２０が動作しないように制御する。また開閉検知センサ１３によって電動排水栓１０の異常を検知したとき、或いは風呂蓋検知センサ１５によって風呂蓋１６の設置状態の異常を検知したときは、動作を停止し、操作リモコン３４に設けたスピーカ４０から音声（又は表示パネルで表示する方式との併用でもよい）で警告するように構成されている。
【００２３】
浴室１の内部或いは外部のいずれかに、上記制御部８に設定された自動排水／洗浄モード及び自動閉栓／給湯モードの両方又は一方を選択するための操作リモコン３４が設置されている。操作リモコン３４は、リモコンケーブルにより制御ボックス２６と有線接続されているが、無線接続であってもよい。操作リモコン３４は、自動排水／洗浄モードを選択する「自動排水／洗浄」ボタン３５と、「自動閉栓／給湯モード」を選択する「自動閉栓／給湯」ボタン３６とを備えている。
【００２４】
次に、自動洗浄給湯装置の運転動作の一例を説明する。
【００２５】
先ず、使用者が操作リモコン３４の「自動排水／洗浄」ボタン３５のみを押したときは、制御部８は自動排水／洗浄モードのみを実行する。つまり、電動排水栓１０が開いて浴水を排水する。このとき、浴槽３のフランジ面３ａに設けられた風呂蓋検知センサ１５の信号より、風呂蓋１６が設置されていない場合には、操作リモコン３４に音声で、風呂蓋１６の設置を促す警告が行なわれる。風呂蓋１６が正常にセットされている場合は、「自動排水／洗浄」ボタン３５を押してから一定時間（約２０分）後に、ブロア２０の運転を開始する。これによりエア管１８から洗剤タンク２７の上部にエアが押し込まれることにより、洗剤２９が洗剤噴霧ノズル３０から浴槽３内に噴霧される。さらに洗剤散布の後、一定時間（約１０分）後に電磁弁２３を開状態にして、水道水が清水噴霧ノズル４４から一定時間（約５分）噴霧して、すすぎ洗いをする。この洗剤噴霧及び清水噴霧を実行する間に、清水及び洗剤２９の経路には逆止弁１９、２２が設けられているため、洗剤２９がブロア２０に逆流して故障させたり、水道水に汚水が逆流したりすることがない。そして浴槽３の清掃後に、暖房換気乾燥機２が自動的に運転を開始して、浴室１内を乾燥させる。これら排水〜清掃〜乾燥の一連の動作が「自動排水／洗浄」ボタン３５の１回操作で自動に行なわれる。この自動排水／洗浄モードが終了した時点では電動排水栓１０は開栓状態に保たれる。
【００２６】
一方、使用者が操作リモコン３４の「自動排水／洗浄」ボタン３５と「自動閉栓／給湯」ボタン３６の両方を同時に押したとき或いは「自動排水／洗浄」ボタン３５を押した後（自動排水／洗浄モードの実行中）に「自動閉栓／給湯」ボタン３６を押したときは、いずれの場合も、自動排水／洗浄モードの終了に引き続いて自動閉栓／給湯モードを自動的に実行する。なお、使用者が「自動閉栓／給湯」ボタン３６のみを押したときは、浴槽３の排水〜清掃は行なわず、電動排水栓１０の閉栓〜お湯はり動作のみが自動的に行なわれる。
【００２７】
つまり、自動閉栓／給湯モードが選択されると、制御部８は先ず電動排水栓１０を閉栓する。このとき、電動排水栓１０に設けられた開閉検知センサ１３にて、電動排水栓１０の閉栓が正常に行なわれているかどうかを検知する。また、風呂蓋検知センサ１５により風呂蓋１６の設置状態が正常であるかどうかを検知する。風呂蓋１６の設置状態又は電動排水栓１０に異常が生じたときは、制御部８は動作を停止し、操作リモコン３４に音声により警告を発する。異常がないときは、給湯器６を自動的に動作させて、お湯はりを開始する。これら電動排水栓１０の閉栓〜お湯はりの一連の動作が「自動閉栓／給湯」ボタン３６の１回操作で自動に行なわれる。
【００２８】
しかして、本装置によれば、浴室１と離れたところから操作リモコン３４にて浴槽３の電動排水栓１０、自動浴槽洗浄装置５０、給湯器６を集中制御できるので、浴室１までの往復移動を大幅に軽減できるようになる。また、操作リモコン３４によって自動排水／洗浄モードと自動閉栓／給湯モードを連続して或いは連続させないで選択できるので、最終入浴後に自動排水／洗浄モードを選択することで、最終入浴から時間をおかずに清掃できるので浴槽３の汚れ除去効果を高めることができ、これにより人手による清掃の労力を大幅に改善できるようになる。また、次回入浴前に自動閉栓／給湯モードを選択することで、お湯はりから時間をおかずに入浴できるのでお湯はりした湯温が下がってしまうことがなく、追い炊きに必要なエネルギーを節約できるものである。
【００２９】
また本例の制御部８は、風呂蓋１６の設置状態を風呂蓋検知センサ１５で検知して、風呂蓋１６が無い状態では自動浴槽洗浄装置５０が動作しないように制御するので、風呂蓋１６が無い状態で洗剤２９が噴霧することがないため、浴槽３以外の部位に洗剤２９を付着させることがなく、安心して浴槽３の清掃を実施できるようになる。さらに、電動排水栓１０の開閉状態を開閉検知センサ１３で検知して、電動排水栓１０が開いた状態では給湯器による自動お湯はり動作が行なわれるのを阻止するので、安全にしかも安心してお湯はりができるようになる。さらに、風呂蓋１６の設置状態又は電動排水栓１０に異常が生じたときは、制御部８は自動浴槽洗浄動作や自動お湯はり動作を停止し、且つ操作リモコン３４のスピーカ４０から音声で警告するので、使用者に異常を即座に知らせることができ、より安心で安全に自動洗浄給湯装置を使用できる利点もある。
【００３０】
また、自動排水／洗浄モードでは、浴槽洗浄動作の後に暖房換気乾燥機２を自動的に動作させるので、浴槽３を清掃した後から次回の入浴までの間に浴室乾燥が行なわれ、これにより浴室１内の湿気や壁面に結露して付着した水滴などの除去を容易に行なうことができる。特に、浴槽３清掃から次回のお湯はりまでの時間が長い場合に浴室１を乾燥状態におくことができるので、カビ対策に有効となる。
【図面の簡単な説明】
【００３１】
【図１】本発明の自動洗浄給湯装置の概略構成図である。
【図２】同上の制御部に関連するブロック図である。
【符号の説明】
【００３２】
３  浴槽
３ａ  フランジ面
８  制御部
９  排水口
１０  電動排水栓
１６  風呂蓋
２９  洗剤
３４  操作リモコン
５０  自動浴槽洗浄装置
【図１】
2007298250.tif 000003
【図２】
2007298250.tif 000004